Podtech/llm-jp-corpus-v4-ja_patent huggingface dataset:
(57)【要約】【課題】  水槽内の汚水の交換、汚泥・ゴミ等の排出、水槽内部の清掃が簡単にできる、排水装置付き水槽を提供する。【解決手段】水槽の下部に排水装置を付けて、汚水の交換や汚泥・ゴミ等の排出を容易にし、水槽内部の掃除も簡単にできることを特徴とする排水装置付き水槽。【選択図】図２
2009039091.tif 000002
【特許請求の範囲】
【請求項１】
水槽の壁面または底面の一部に排水装置を付け、水槽内の汚水・ゴミ等を排出させることを特徴とする排出装置付き水槽。
【発明の詳細な説明】
【技術分野】
【０００１】  本発明は、水槽内の汚れた水やゴミ等を排出させて水質を良好に保ち、かつ水槽内の掃除が簡単にできる排水装置付き水槽に関するものである。
【背景技術】
【０００２】  （イ）従来、水槽内の水の一部を替えるときは、バケツ等の容器を使って水をくみ出さなければならなかった。
（ロ）水槽底部の汚泥やゴミ等を除去するときは、水槽内の水をくみ出してから水槽を洗い、汚泥・ゴミ等を除去していた。
【発明の開示】
【発明が解決しようとする課題】
【０００３】  そのために次のような問題点があった。
（イ）水槽で飼育している水生生物を、そのままの状態で水の一部を替えようとするとき、バケツ等の容器では上部の水を替えるだけで、底部の汚泥・ゴミ等は取り除くことができなかった。
（ロ）底部の汚泥・ゴミ等を除去するには、水を汲み替えながら時間をかけて掃除をしなければならなかった。
本発明は、以上の問題点を解決するためになされたものである。
【課題を解決するための手段】
【０００４】  水槽の、壁面または底面の一部に排水装置を付けて、水槽底部の汚水・ゴミ等を排出させる。排水装置が付いているので、水を流しながら水槽内部の掃除が簡単にできる。
【発明の効果】
【０００５】  （イ）水槽内の水を一部替えるときは、コックを開いて水槽底部の汚泥・ゴミ等を排出させた後、きれいな水を補充すれば、常に水槽内の水質を良好に保つことができる。
（ロ）水槽の掃除は、コックを解放の状態にして、汚水を排出させながら内部を洗い流せるので、短時間で楽にできる。
【発明を実施するための最良の形態】
【０００６】  以下、本発明の実施の形態について説明する。
水槽壁面（１）または水槽底面（５）の一部に、コック（２）の付いた排水装置（４）を装着する。ただし、水槽底面に装着する場合は水槽に脚を付けるか、水槽を台の上に置いて装着する。
本発明は以上のような構造で、これを使用するときは、排出口（３）にホースの一方をつなぎ、もう一方をバケツ・風呂場等汚水を捨てる場所に引いておく。水槽内の水の一部を替えるときは、コック（２）をひねって汚泥・ゴミ等を排出させた後、きれいな水を補充する。また、水槽内を掃除するときは、壁面の苔等を落としながら排水する。週に１回程度掃除すれば、水槽内の水質は良好な状態を維持できる。
【図面の簡単な説明】
【０００７】
【図１】水槽壁面に、排水装置を装着した本発明の斜視図
【図２】脚（台）付き水槽の底面に、排水装置を装着した本発明の斜視図
【符号の説明】
【０００８】  １  水槽壁面
２  コック
３  排水口
４  排水装置
５  水槽底面
６  脚（台）
【図１】
2009039091.tif 000003
【図２】
2009039091.tif 000004
(57)【要約】      （修正有）【課題】果物、野菜、魚介類など目的の形状をなす趣向を凝らした子供向きの豆腐を提供する。【解決手段】容器１の底辺２に、果物、野菜、魚介類の図案に応じた凹凸を施し、また、蓋にも同様に図案の凹凸を施す。蓋の四方はエリ５を立ち上げるようにする。該容器に豆腐の液を流し込み凝結させ、目的の形状をなした豆腐を得る。なお、容器の縁３にフイルムを貼り塞いで保健衛生を保つ。つぎに、容器から図案化した豆腐を取り出し、表面を食油で揚げて処理し、容積の縮んだ豆腐は、それに見合った容器に入れ、縁にフイルムを貼って塞ぐ。【選択図】図１
2009039041.tif 000002
【特許請求の範囲】
【請求項１】
容器の底辺と蓋に果物、野菜、魚介類の図案化し目的とする凹凸を施し、容器の縁にフイルムを貼って塞ぐ図案化した豆腐。
【請求項２】
容器から図案化した豆腐を取り出し、表面を食油で揚げて処理し、容積の縮んだ豆腐は、それに見合った容器に入れ縁にフイルムを貼って塞ぐ請求項1記載の図案化した豆腐。
【請求項３】
図案化した豆腐は、それに見合う着色を施す請求項1記載の図案化した豆腐。
【請求項４】
図案化した豆腐に砂糖など甘味料のほか香料を添加し、図案化した果実類などに施す
請求項1又は３記載の図案化した豆腐。
【請求項５】
凹凸を施した蓋がエリ付きである請求項1記載の図案化した豆腐。
【発明の詳細な説明】
【技術分野】
【０００１】
本発明は図案の形状をなした豆腐である。
【背景技術】
【０００２】
豆腐は四角というのが一般の常識であった。適当に切って料理した。
【発明の開示】
【発明が解決しようとする課題】
【０００３】
果物、野菜、魚介類など目的の形状をなす趣向を凝らした子供向きの豆腐である。
【課題を解決するための手段】
【０００４】
果物、野菜、魚介類など目的の形状をなす容器に豆腐の液を流し込み凝結させる。
【０００５】
容器から取り出した図案形状の豆腐の表面を食油で揚げる。
【０００６】
図案化した豆腐は、それに見合う着色を施す。
【０００７】
図案化した豆腐に砂糖など甘味料のほか香料を添加し、子供の好む食品にする。特に図案化した果実類などに施す。
【発明の効果】
【０００８】
肉類のとりすぎは身体を酸性にするといわれている。陸のたんぱく質、大豆食品を成長期の子供たちに食べさせる。
【０００９】
味覚だけに頼らず視覚も重きをおき子供らの食欲増進を図った。
【００１０】
豆腐そのものに味はない。数種類のなかのそれぞれ好みのタレをかけて食べる。このように視覚が食卓を豊かにし、料理はより手軽である。
【発明を実施するための最良の形態】
【００１１】
以下、添付地面に従って実施例を説明する。容器１の底辺２は、果物、野菜、魚介類の図案化し目的とする凹凸を施す。蓋４も底２同様の図案の凹凸を施す。蓋４の四方にエリ５を立ち上げる。容器１の縁３にフイルムを貼り塞いで保健衛生を保つ。
【００１２】
蓋６も図案の凹凸を施し、容器１の縁３にフイルムで貼り塞いで保健衛生を保つ。
【００１３】
容器１から図案化した豆腐を取り出し、表面を食油で揚げて処理し、容積の縮んだ豆腐は、それに見合った容器１に入れ縁３にフイルムを貼って塞ぐ。
【図面の簡単な説明】
【００１４】
【図１】容器の側面図である。
【図２】容器の平面図である。
【図３】エリを立ち上げた蓋の側面図である。
【図４】蓋の側面図である。
【図５】カニ
【図６】ハマグリ
【図７】リンゴ
【図８】トマト
【図９】ブドウ
【図１０】ナス
【図１１】カボチャ
【図１２】クジラ
【図１３】イカ
【図１４】タコ
【符号の説明】
【００１５】
１    容器
２    底
３    縁
４    エリを立ち上げた蓋
５    エリ
６    蓋
７    カニ
８    ハマグリ
９    リンゴ
１０  トマト
１１  ブドウ
１２  ナス
１３  カボチャ
１４  クジラ
１５  イカ
１６  タコ
【図１】
2009039041.tif 000003
【図２】
2009039041.tif 000004
【図３】
2009039041.tif 000005
【図４】
2009039041.tif 000006
【図５】
2009039041.tif 000007
【図６】
2009039041.tif 000008
【図７】
2009039041.tif 000009
【図８】
2009039041.tif 000010
【図９】
2009039041.tif 000011
【図１０】
2009039041.tif 000012
【図１１】
2009039041.tif 000013
【図１２】
2009039041.tif 000014
【図１３】
2009039041.tif 000015
【図１４】
2009039041.tif 000016
【手続補正書】
【提出日】平成19年8月13日(2007.8.13)
【手続補正２】
【補正対象書類名】明細書
【補正対象項目名】０００１
【補正方法】変更
【補正の内容】
【０００１】  本案はパッケージの構造により図案の形状をなした豆腐である。
【手続補正３】
【補正対象書類名】特許請求の範囲
【補正対象項目名】全文
【補正方法】変更
【補正の内容】
【特許請求の範囲】
【請求項１】
容器の底辺と蓋に果物、野菜、魚介類の図案化した目的の凹凸を施し、容器の縁にフイルムを貼って塞ぐパッケージの構造。
【請求項２】
容器から図案化した豆腐を取り出し、表面を食油で揚げて処理し、容積の縮んだ豆腐は、それに見合った容器に入れ、縁にフイルムを貼って塞ぐ請求項１記載のパッケージの構造。
【請求項３】
図案化した豆腐は、それに見合う着色を施す請求項１記載のパッケージの構造。
【請求項４】
図案化した豆腐に砂糖など甘味料のほか香料を添加し、図案化した果実類などに施す請求項１又は３記載のパッケージの構造。
【請求項５】
凹凸を施した蓋がエリ付きである請求項１記載のパッケージの構造。
(57)【要約】【課題】熊手形状の金具を土に差し込むと少し手で力を加えてやると土の中に熊手が入っていき土を耕すことができる。同時に草は、熊手形状の金具にまつわりつき土と分離し草だけ取り除くことができる。【解決手段】前後運動をする削岩機の様な機械に熊手形状の金具を取り付け、土を耕しながら草を熊手形状の金具にまつわりつけて土と草を分離する草引き機。【選択図】図１
2009039090.tif 000002
【特許請求の範囲】
【請求項１】
前後運動をする削岩機の様な機械に熊手形状の金具を取り付けた草引き機。
【発明の詳細な説明】
【技術分野】
【発明に属する技術分野】
【０００１】  本発明は、前後運動をする削岩機の様な機械に熊手形状の金具を取り付けた草引き機に関する。
【背景技術】
【０００２】    従来よりビッチュウの様なものがあった。
【発明の開示】
【課題を解決しようとするための手段】
【０００３】    これは、次のような問題点があった。
（イ）人の手の力で土を耕す必要があった。
（ロ）掘り起こした草を手でひとつひとつ摘んで拾う必要があった。
本発明は、以上の欠点を解決するために発明されたものである。
【課題を解決するための手段】
【０００４】  前後運動をする削岩機の様な機械に熊手形状の金具を取り付け、土を耕しながら草を熊手形状の金具にまつわりつけて土と草を分離する。
【発明の効果】
【０００５】  硬く固まった土を人の手で耕すだけでも大変な労力が必要であり、特に農作業をする年寄りの方には大変な労力である、また、若年層の農業離れの原因でもあり手作業でしかできない作業の機械化が急務である。本発明は、硬い土でも簡単に耕せ、掘り起こした草を熊手にまつわりつけて集めるため、従来手作業での作業が大変容易に行える。
【発明を実施するための最良の形態】
【０００６】以下、本発明の実施の形態を説明する。
前後運動をする削岩機の様な機械（１）に熊手形状の金具（２）を取り付ける。
土を耕しながら草を熊手形状の金具にまつわりつけて土と草を分離する。
本発明は以上のような構造で、これを使用するときは、熊手形状の金具を土に差し込むと少し手で力を加えてやると土の中に熊手が入っていき土を耕すことができる。同時に草は、熊手形状の金具にまつわりつき土と分離し草だけ取り除く。
【図面の簡単な説明】
【０００７】
【図１】  本発明の正面図
【符号の説明】
１  前後運動をする削岩機の様な機械
２  熊手形状の金具
【図１】
2009039090.tif 000003
(57)【要約】【課題】傷のつきにくいゴルフクラブヘッドを提供すること。【解決手段】クラブヘッド１の少なくともフェース面２を構成する素材上に炭素を主成分としたダイヤモンドライクカーボン膜を形成したことを特徴とするゴルフクラブであり、打球の回転を抑制して空気抵抗を低減し、飛距離を向上することができるという効果を奏する。【選択図】図１
2009039394.tif 000002
【特許請求の範囲】
【請求項１】
クラブヘッドの少なくともフェース面を構成する素材上に炭素を主成分としたダイヤモンドライクカーボン膜を形成したことを特徴とするゴルフクラブ。
【発明の詳細な説明】
【技術分野】
【０００１】
本発明は、ゴルフクラブ、特にクラブヘッドの改良に関するものである。
【背景技術】
【０００２】
従来、ゴルフクラブは、ヘッドと、その一端部がヘッドに嵌合するパイプ状のシャフトと、シャフトの他端部を挿入するグリップとから構成され、ヘッドは、通常、ステンレス材料、チタン系材料やカーボン系材料等を素材として構成される。
【０００３】
従来のクラブヘッドにおいて、ボールの飛距離と方向性を改善するためにクラブフェースに高硬度のダイヤモンドライクカーボン（以下、ＤＬＣ）膜を形成する技術がある（特許文献１参照のこと）。この従来技術は、クラブヘッド素材にチタン膜を形成し、そのチタン膜上にＤＬＣ膜をコーティングするものである。
【発明の開示】
【発明が解決しようとする課題】
【０００４】
しかしながら、従来のＤＬＣ膜を形成したクラブヘッドでは、ヘッド素材上に複数の膜を形成するため、コストの上昇や重量の増加を招くという問題点があった。
【特許文献１】特開２００３−７９７７０  本発明は、上記の問題点に鑑みてなされたものであり、コスト及び重量の増加を抑制しつつ、ボールの飛距離と方向性を改良するゴルフクラブを提供することを目的とする。
【課題を解決するための手段】
【０００５】
本発明は、クラブヘッドの少なくともフェース面を構成する素材上に炭素を主成分としたダイヤモンドライクカーボン膜を形成したことを特徴とするゴルフクラブである。
【発明の効果】
【０００６】
本発明によると、クラブヘッドの表面に高硬度のダイヤモンドライクカーボン（以下、ＤＬＣ）膜を形成する構造のため、フェースの摩擦係数を低減して、打球の回転数が低下する。打球の空気抵抗が低下して飛距離を伸ばすことができる。また、ヘッドの素材上に直接ＤＬＣ膜を形成するため、従来技術に比してコストの増大や重量の増加を抑制することができる。さらにクラブヘッドのクラウン部にＤＬＣ膜を形成することで、目に付きやすいクラウン部に傷がつきにくく、美感を長期間に渡り維持することができる。
【発明を実施するための最良の形態】
【０００７】
以下、本発明の実施形態を添付図面に基づいて説明する。図１は、ゴルフクラブヘッドの正面図を示している。
【０００８】
図１に示すようにヘッド１は、ボールに接触するフェース面２と、ヘッド１の上面を形成するクラウン部３と、同じくヘッド１の下面を形成するソール部４とから構成され、ヘッド１の素材としては、硬質木材からチタン等金属材料に至るまで種々の材料が用いられている。さらにヘッド１の素材の表面全域を覆うようにＤＬＣ膜５が形成される。
【０００９】
フェース面２の摩擦係数に応じたフェース面２とボールとの摩擦によりボールに回転が生じ、回転に伴う空気抵抗の増加による飛距離の低下や、いわゆるフックやスライスといった予期しない打球の極端な曲がりが生じることになる。
【００１０】
また、クラウン部３はプレーヤーがクラブを構えたときに最も目に付き易い箇所であり、この箇所に傷がつきにくいと商品性を向上することができる。同様にソール部４は、地面に最も接触し易い箇所で傷がつきやすく、ソール部４に傷がつきにくいと商品性を向上することができる。
【００１１】
そこで本発明の要旨とするところであるが、ヘッド１の素材の表面上に炭素を主成分としたアモルファス構造体からなるＤＬＣ膜５を形成する。ＤＬＣ膜５の厚さは、例えば３μｍ以下である。
【００１２】
ＤＬＣ膜５は、アンバランスマグネトロンスパッタ法（以下、「ＵＢＭスパッタ法」と称する）によって形成される。
【００１３】
スパッタの原理は、図２に示すように、アルゴン等の不活性ガスを導入した真空中でターゲット４１を陰極として陽極の間でグロー放電させてプラズマを形成し、このプラズマ中のイオンをターゲット４１に衝突させてターゲット４１の原子を弾き飛ばし、この原子をターゲット４１と対向して配置されたワーク（ヘッド１）２１上に堆積させて皮膜を形成するようになっている。
【００１４】
ＵＢＭスパッタ法は、スパッタ蒸発源４０ａ〜４０ｄにターゲット４１の中心部と周辺部で異なる磁気特性を有する磁場４２、４３が配置されて、プラズマを形成しつつ強力な磁場４２により発生する磁力線の一部がワーク２１の近傍に達し、ワーク２１にバイアス電圧を印加することによって、ターゲット４１を構成する物質がワーク２１上に堆積される。
【００１５】
図３は、ＵＢＭスパッタ装置５０の基本構成を示す。真空チャンバ５１に４つのスパッタ蒸発源４０ａ〜４０ｄが設けられ、その中央に配置された自公転式ワークテーブル５６上にワーク２１が置かれ、ワーク２１にコーティングが行われる。スパッタ蒸発源４０ａ〜４０ｄには皮膜材料となる平板状ターゲットが取り付けられる。真空チャンバ５１にはアルゴン等の不活性ガスとメタンガス等の炭化水素ガスが所定量充填される。
【００１６】
スパッタ蒸発源４０ａ、４０ｃにはターゲットとしてグラファイトを使用し、スパッタ蒸発源４０ｂ、４０ｄにはターゲットとして金属を使用する。
【００１７】
以上のように構成されて、次に作用について説明する。
【００１８】
ヘッド１の素材表面にＤＬＣ膜５を形成し、素材表面に形成されたＤＬＣ膜５は、ビッカース硬度Ｈｖ＝３０００程度であり、したがって、傷がつきにくく耐傷性が向上され、特にクラウン部３やソール部４の美感を損ないにくい。
【００１９】
またＤＬＣ膜５は、素材に比して摩擦係数が０．１程度と小さいため、ボールに回転を抑制し、飛距離の向上や、フック、スライスを抑制することができる。
【００２０】
さらには、ＤＬＣ膜５がカーボン独特の光沢を備えており、ヘッド１の美感が向上して商品性が向上する。
【００２１】
本発明は上記の実施形態に限定されずに、その技術的な思想の範囲内において種々の変更がなしうることは明白である。
【産業上の利用可能性】
【００２２】
本発明は、ゴルフクラブのヘッドに利用できる。
【図面の簡単な説明】
【００２３】
【図１】本発明の実施形態を示し、ゴルフクラブヘッドの正面図。
【図２】同じくスパッタ法の原理を示す説明図。
【図３】同じくＵＢＭスパッタ装置の構成図。
【符号の説明】
【００２４】
１  ヘッド
２  フェース面
３  クラウン部
４  ソール部
５  ＤＬＣ膜
【図１】
2009039394.tif 000003
【図２】
2009039394.tif 000004
【図３】
2009039394.tif 000005
(57)【要約】【課題】長さ位置調整が、微調整可能で調節可能範囲が広く、容易に調整することができる装置、石突ゴムが動く事により安定装置の提供。【解決手段】上部に手元柄▲１▼を備え、大径上パイプ支柱内に軸ネジ▲６▼を一体に設け、小径下パイプ支柱▲９▼の上側にメネジ▲５▼を一体にし、小径下パイプ支柱の（４段）下端パイプに接地用可変石突▲１４▼▲１５▼と成り、大径上パイプ支柱と小径下パイプ支柱の回転により、長さの調整を容易に行う機構を設けていることを特徴とする杖。【選択図】図２
2009039483.tif 000002
【特許請求の範囲】
【請求項１】
上部に手元柄を備え、大径上パイプ、締め金具、小径下パイプ４本の下端に取り付けた石突とで成り、大径上パイプ内側に軸ねじを取り付け、小径下パイプ上にネジを設けた。大径パイプ、小径パイプ上を回転することにより軸ネジの範囲内を無段階に容易に長さ調整できることを特徴とする、折畳み又はストレート杖。
【請求項２】
請求項１を実施すするにあたり、軸ネジ・メネジに、多条ネジ・多ピッチネジを使用することによりスピーデーに長さ調整することが特徴とする杖。
【請求項３】
大径上パイプ、小径下パイプ上側内に、軸ネジ・メネジを設けることにより調整ピン、プッシュボタンを使用せずに長さ調整ができる杖。
【請求項４】
下端パイプ取付けの接地用石突ゴムが動くことにより、常にゴム面で接地することにより安定が良いことを特徴とする請求項１ないし３記載の杖。
【発明の詳細な説明】
【技術分野】
【００１】  この発明は、長さ調整が無段階に容易に調整できる杖と、接地用ゴムが動く杖に関するものである。
【背景技術】
【００２】  従来の長さ調整可能な杖は、プッシュボタン式の杖が知られている。同杖は、上部のパイプに孔を開け、下部パイプにプッシュボタンを設け孔に嵌合により上部パイプの孔にプッシュボタンを係合孔に選択して一定間隔の孔に嵌入させることにより長さ調整を行うものである。
その他、シャフトの切断調整、カム式調整、つめ式調整によるものなどが知られている。
また、従来の接地用ゴムはほとんどが下端パイプに固定のものであるが、動くものは高価で複雑な構造でゴムも大きいものである。
【発明の開示】
【発明が解決しようとする課題】
【００３】  これらの杖には、次のような欠点があった。
（イ）従来のプッシュボタン式の杖は、長さ調整するのにプッシュボタンを押してパイプを動かし調整していたが、上部パイプに開けた一定間隔の孔に嵌入しているので、間隔の範囲内の長さ調整しかできず最適の長さに微調整することが出来ない不便があった。
（ロ）シャフトの切断調整では、一度調整すると履物の底高さによる調整が出来ず不便があった。
（ハ）従来の石突ゴムは下端パイプに固定のもので接地面に対し、点又は線で接地していて、面で接地していなかった。
（ニ）従来の可変式ゴムは、高価で複雑な構造で大きい物であった。
【課題を解決するための手段】
【００４】  本発明は長さ調整部に、軸ネジ、メネジを設け簡単に無段階に微調整できることを特徴とする杖である。【００５】  軸ネジ・メネジに多条ネジ・多ピッチネジを設け長さ調整可能な杖である。【００６】  軸ネジ、メネジ、ネジ部に台形ネジも設け強度、安全を確保した杖である。
【発明の効果】
【００７】  本発明杖の無段階長さ調整装置は、固定リングを緩め大径パイプ若しくは小径パイプを回すことにより軸ネジの範囲内の長さ調整が、容易に無段階に調整することが出来、表面に押しボタンなど、露出することがないので杖の外観を損ねることがなくシンプルで優れたものとなる。【００８】  一本型の杖、多段ゴム付の折畳み杖にも実施出来る。【００９】  下端のパイプにボール形石突を取り付けることによりゴムが容易に動くことにより点又線での接地を面で接地し安定して使用が出来る。
このボール形石突は、一本型の杖、多段ゴム付の折畳み杖、４点杖、３点杖に使用することが出来る。
【発明を実施するための最良の形態】
【００１０】  次に本発明の実地例について説明する。
【実地例】
【００１１】  本発明は上部に手元▲１▼を備え、大径パイプ▲４▼に締めリング▲８▼を取り付け、小径パイプ▲９▼から４段（５段）小径パイプ下端に石突より構成されている。
【００１２】  長さ調整は締め金具▲８▼を緩め、大径支柱パイプ▲４▼小径支柱パイプ▲９▼を回すことにより長さ調整する。
図２に基づいて説明する（断面図）
【００１３】  ▲１▼手元柄に▲３▼取付け金具により▲４▼大径パイプ支柱に取付けてあり、それぞれ固定されている。
【００１４】  又▲３▼取り付け金具と▲６▼の軸ネジ固定している。
【００１５】  ▲９▼小径パイプ支柱に▲５▼のメネジを固定されている、▲６▼の軸ネジに▲７▼のプラスチックとメ輪と▲１０▼の平金具を▲１１▼とめネジにより取り付けている。
【００１６】  ▲４▼大径パイプ支柱にネジにより取り付けた▲８▼の締メ金具の内側に▲１２▼の割りリングを挿入し締めることにより▲９▼の小径パイプ支柱を固定する。
【００１７】  ▲６▼の軸ネジ先に傾斜を付け▲７▼のプラスチックとめ輪が▲５▼のメネジの中に挿入することが出来る素材であり、又抜ける。
【００１８】  ▲４▼大径パイプ支柱固定し▲８▼の締め金具を緩め▲９▼の小径パイプ支柱を回すことにより長さ調整が出来▲９▼の締め金具を締めることにより▲９▼の小径パイプ支柱を固定する。
【００１９】  ▲１３▼下端パイプにネジにより取付けた▲１４▼石突ボールに▲１５▼可変ゴムを圧入してボール部に取り付ける。
【図面の簡単な説明】
【００２０】
【図１】本発明に係る長さ調整可能な２種類を示すもので、Ａは弾性紐を挿入した折畳み可能な杖、Ｂは２段構成の杖の側面図。
【図２】構成を示す拡大断面図。
【図３】部分構成を示す拡大図面。
【図４】下端パイプ部分構成拡大図面。
【図５】下端パイプ部分外観構成拡大図面。
【符号の説明】
【００２１】▲１▼  手元柄
▲２▼  リング
▲３▼  取付け金具
▲４▼  大径パイプ支柱（１号）
▲５▼  メネジ
▲６▼  軸ネジ
▲７▼  プラスチック止め輪
▲８▼  締メ金具
▲９▼  小径パイプ支柱（２号）
▲１０▼  平金具
▲１１▼  止メネジ
▲１２▼  割リング
▲１３▼  下端パイプ
▲１４▼  石突ボール
▲１５▼  可変ゴム
【図１】
2009039483.tif 000003
【図２】
2009039483.tif 000004
【図３】
2009039483.tif 000005
【図４】
2009039483.tif 000006
【図５】
2009039483.tif 000007
(57)【要約】【課題】  ビリヤードにおいて、練習と上達が必要なブリッジを覚えることなくビリヤードを楽しむことができる、ビリヤード補助具を提供する。【解決手段】  硬質で厚みのある発泡素材を壁型の直方体に加工したものを本体とし、本体の中央に上面から下方に向かい、ビリヤードで使用するキューのシャフトの前部を通過させる為のＵ字の溝を側面に設け、Ｕ字の溝の底部の位置を、その溝にキューのシャフトの前部を乗せた際、キューの先端がビリヤードのボールの中心に当たる位置にし、本体の上面からＵ字の溝にかけて、そのＵ字の溝にキューを乗せ、ストロークを行う際に生じる摩擦音を軽減させる為の布を施した、ビリヤード補助具。【選択図】図２
2009039485.tif 000002
【特許請求の範囲】
【請求項１】
硬質で厚みのある発泡素材を壁型の直方体に加工したものを本体とし、本体の中央に上面から下方に向かい、ビリヤードで使用するキューのシャフトの前部を通過させる為のＵ字の溝を側面に設け、Ｕ字の溝の底部の位置を、その溝にキューのシャフトの前部を乗せた際、キューの先端がビリヤードのボールの中心に当たる位置にしたビリヤード補助具。
【請求項２】
本体の上面からＵ字の溝にかけて、そのＵ字の溝にキューを乗せ、ストロークを行う際に生じる摩擦音を軽減させる為の布を施した、請求項１のビリヤード補助具。
【発明の詳細な説明】
【技術分野】
【０００１】  本発明は、ビリヤードで遊ぶ際に練習と上達が必要とされる、基本のブリッジを覚える事なくビリヤードを楽しむ事ができる、ビリヤード補助具に関するものである。
【背景技術】
【０００２】  従来ビリヤードで遊ぶ際、ビリヤード台上でキューを持つ手と反対の手でブリッジをつくり、ストロークを行い、ボールを狙う必要があった。
また、上級者並みの正確なブリッジを可能とするビリヤードグローブの発明が知られている（特許文献１）。
【特許文献１】登録実用新案第３１０８５５５号広報
【発明の開示】
【発明が解決しようとする課題】
【０００３】その為に、次のような問題があった。
（イ）手でつくるブリッジは初心者には覚えづらく、長期間の練習と上達が必要とされた。
（ロ）ブリッジに馴れていても、キューでボールの中心を狙うことは難しく、ボールを打ち損じることがあった。
本発明は、以上の問題点を解決するためになされたものである。
【課題を解決するための手段】
【０００４】  硬質で厚みのある発泡素材を壁型の直方体に加工したものを本体（１）とし、本体（１）の中央に上面から下方に向かい、ビリヤードで使用するキューのシャフトの前部（８）を通過させる為のＵ字の溝（２）を側面（６）に設ける。Ｕ字の溝の底部（３）の位置を、その溝にキューのシャフトの前部（８）を乗せた際、キューの先端（９）がビリヤードのボールの中心（１０）に当たる位置にする。本体の上面からＵ字の溝（２）にかけて、そのＵ字の溝（２）にキューを乗せ、ストロークを行う際に生じる摩擦音を軽減させる為の布（４）を施す。以上を特徴とするビリヤード補助具。
【発明の効果】
【０００５】  本発明をビリヤード台上のボールの手前に置き、本体の中央に設けられたＵ字の溝にビリヤードで使用するキューのシャフトの前部を通して使用することで、練習と上達を必要とするブリッジを覚える必要がなく、ほぼ正確にボールの中心を狙うことができる。また、ボールを打ち損じる確率を減らすこともできる。
【発明を実施するための最良の形態】
【０００６】以下、本発明の実施の形態を説明する。
（イ）硬質で厚みのある発泡素材を壁型の直方体に加工したものを本体（１）とし、本体（１）の高さはビリヤードのボール（７）よりも低く、幅はそのボール（７）よりも短くする。
（ロ）本体（１）の中央に上面から下方に向かいＵ字の溝（２）を設け、Ｕ字の溝（２）の幅はキューのシャフトの前部（８）が通過できる幅とし、Ｕ字の溝の深さは、キューのシャフトの前部（８）を乗せた際にシャフトが上面より上に突出しない深さとする。
（ハ）Ｕ字の溝の底部（３）の位置は、キューのシャフトの前部（８）を乗せた際に、キューの先端（９）がビリヤードのボールの中心（１０）を突ける位置にする。
（ニ）本体（１）の上面からＵ字の溝（２）にかけて、キューのシャフトの前部（８）を乗せ、ストロークを行う際に生じる摩擦音を軽減させる為の布（４）を施す。
本発明は、以上の構成よりなっている。
本発明を使用するときは、本体（１）の底面（５）をビリヤード台（１２）に密着させ、ボール（７）の手前１０ｃｍ〜１５ｃｍの位置に、狙いたい方向に対してボール（７）と平行に置く。ビリヤードのキューのシャフトの前部（８）を本体（１）中央に設けられたＵ字の溝（２）に置き、本体（１）の上面と側面（６）を、キューを持つ利き手と反対の手（１１）で押さえ、安定させる。利き手でキューの後部を持ちストロークを行い、ボール（７）を打つ。ボール（７）を打った後、本体（１）を利き手とは反対の手（１１）で持ち、ビリヤード台（１２）から離す。
【図面の簡単な説明】
【０００７】
【図１】本発明の斜視図
【図２】本発明の使用状態を示す斜視図
【符号の説明】
【０００８】１      本体
２      Ｕ字の溝
３      Ｕ字の溝の底部
４      摩擦音を軽減させる為の布
５      底面
６      側面
７      ボール
８      キューのシャフトの前部
９      キューの先端
１０    ボールの中心
１１    利き手と反対の手
１２    ビリヤード台
【図１】
2009039485.tif 000003
【図２】
2009039485.tif 000004
(57)【要約】【課題】  着席時の下半身の保温を促進する、膝掛け一体型カイロポケット付きロングクッションを提供する。【解決手段】  椅子用のクッションを足元まで延長し、脹脛にあたる部分にカイロポケットを設け、ロングクッション片側に膝掛けを付けた、着席時における下半身の保温を促進する、膝掛け一体型カイロポケット付きロングクッション。【選択図】図１
2009039480.tif 000002
【特許請求の範囲】
【請求項１】
椅子用のクッションを足元まで延長し、脹脛にあたる部分にカイロポケットを設け、クッション片側に膝掛けを付けた、着席時における下半身の保温を促進する、膝掛け一体型カイロポケット付きロングクッション。
【発明の詳細な説明】
【技術分野】
【０００１】  本発明は、着席時における下半身の保温を促進する、膝掛け一体型カイロポケット付ロングクッションに関するものである。
【背景技術】
【０００２】  従来、着席時の保温対策は、着席部のみのクッションと膝掛けを別々に使用していた。
【発明の開示】
【発明が解決しようとする課題】
【０００３】  そのために、次のような問題点があった。
（イ）着席部のみのクッションでは、暖房を強くしても下半身の冷えが解消されなかった。
（ロ）膝掛けを使用すると立席、着席の際、始末が面倒でスムースにいかなかった。
本発明は以上の問題点を解決しようとするものである。
【課題を解決するための手段】
【０００４】  上記問題点を解決するため本発明は、椅子用のクッションを足元まで延長し、延長した脹脛部分にカイロポケットを設け、クッション片側に膝掛けを付け、椅子に固定するためと収納のためのゴムとボタンを取り付け、クッションの着席部裏面に滑り止めを付けたものである。
【発明の効果】
【０００５】  本発明は、足元まで延長したロングクッションとカイロ、一体型とした膝掛けにより、着席時の下半身の保温促進につながり、無駄な熱エネルギーを削減することができる。
また、今まで面倒だった膝掛けの始末がスムースになる。
【発明を実施するための最良の形態】
【０００６】  以下、本発明の実施の形態を説明する。
（イ）椅子用ロングクッション（１）を設ける。
（ロ）脹脛にあたる部分に、カイロポケット（２）を設ける。
（ハ）椅子用ロングクッション片側に、膝掛け（３）を付ける。
（ニ）椅子用ロングクッション裏面座席部に、滑り止め（４）を付ける。
（ホ）椅子への固定と収納用のゴム（５）と、ボタン（６）を付ける。
上記のような構成からなる本発明を実際に使用する場合は、ロングクッションを椅子着席部にゴムとボタンで固定し、カイロポケットにカイロを入れ着席し、ひざ掛けをかけ、下半身を暖める。
【図面の簡単な説明】
【０００７】
【図１】本発明の使用状態を示す斜視図
【図２】本発明の表面図
【図３】本発明の裏面図
【符号の説明】
【０００８】１    ロングクッション
２    カイロポケット
３    ひざ掛け
４    滑り止め
５    取り付けゴム
６    ボタン
【図１】
2009039480.tif 000003
【図２】
2009039480.tif 000004
【図３】
2009039480.tif 000005
(57)【要約】【課題】本発明は，野菜，果物等の皮むき器をカンナの如き形状にして，従来使用されている皮むき器の欠点，すなはち使い方が手のリードによって直線的引くため丸い物にはロスがでる，又構造上使い方が限られている。それらの点を考慮した食材用カンナを提供する。【解決手段】野菜，果物等の皮むき器をカンナの如き形状にし，その把持体（１）を半円形の板にて構成し内向に刃体（２）を構成し，切り抜き（３）を構成した食材用カンナ。【選択図】図１
2009039477.tif 000002
【特許請求の範囲】
【請求項１】
野菜，果物等の皮むき器をカンナの如き形状にし，その把持体（１）を半円形の板にて構成し内面に刃体（２）を構成し，切り抜き（３）を構成した食材用カンナ。
【発明の詳細な説明】
【技術分野】
【０００１】本発明は野菜，果物等の皮むき器を，カンナの如き形状にした，食材用カンナに関するものである。
【背景技術】
【０００２】従来使用されている皮むき器は野菜，果物等の皮をむく場合皮むき器の刃部を野菜，果物等の皮に当てて，手で引いてむく構造に形成されている。
【特許文献１】特開２００６−２４６９６６
【発明の開示】
【発明が解決しようとする課題】
【０００３】そのために，次のような問題点があった。
（イ）野菜，果物等の皮をむく場合，皮むき器を野菜，果物等の皮にあてて手のリードによって直線的に引いて使用するため丸い野菜，果物などロスがでることになる。
（ロ）構造上使い方が限られていて，使い方に応用がきかない。本発明はこれらの問題点を解決するためになされてものである。
【課題を解決するための手段】
【０００４】食材用カンナは，把持体（１）を半円形の板にて構成し内面に刃体（２）を構成し，切り抜き（３）を構成する
本発明は以上の構成よりなる食材用カンナである。
【発明の効果】
【０００５】本発明は，野菜，果物等の皮をむく場合，野菜，果物等を把持体（１）の頭部内面の刃部（２ａ）に当てて，野菜，果物等を回してもよし，食材用カンナを回してもよし，又両方同時に回して野菜，果物等の形状に沿って皮をむくことが出来る。又，把持体尾部（１ｂ）を保持具（４）によって固定することによって片手で皮むきが出来るので，片手無い人，片手不自由な人にも使用出来るのである。
【発明を実施するための最良の形態】
【０００６】以下，本発明の実施の形態を説明する。
（イ）把持体（１）を半円形の板にて構成し，内面に刃体（２）を構成し切り抜き（３）を構成する
（ロ）把持体頭部（１ａ）の先端は野菜，果物等にたいして切り込みが出来るように先鋭に構成する。
本発明は以上の構成からなるので本発明を使用するときは，野菜，果物等を把持体（１）内面の刃部（２ａ）接着して回してもよし，食材用カンナを，回してもよし，両方同時に回すと一層早く処理が出来るのである。
又，保持具（４）に把持体尾部（１ｂ）を挿入して固定（図５）すると片手で使用可能である。
【図面の簡単な説明】
【０００７】
【図１】本発明の斜視図
【図２】本発明の平面図
【図３】本発明の底面図
【図４】本発明の側面図
【図５】本発明を保持話に挿入した図
【符号の説明】
【０００８】１    把持体
１ａ  把持体頭部
１ｂ  把持体尾部
２    刃体
２ａ  刃部
３    切り抜き円
４    保持具
【図１】
2009039477.tif 000003
【図２】
2009039477.tif 000004
【図３】
2009039477.tif 000005
【図４】
2009039477.tif 000006
【図５】
2009039477.tif 000007
(57)【要約】【課題】台板の両端に挟み具を付けたテーブルクロス止めを提供する。【解決手段】台板の両端に挟み具（２）を設け、テーブルクロス（４）の端を挟み、それをテーブルの足の内側でそれぞれ挟みつけることを特徴とした、テーブルクロス止め具。【選択図】図１
2009039493.tif 000002
【特許請求の範囲】
【請求項１】
台板の両端部付近に挟み具を付けたことを特徴とするテーブルクロス止め具。
【発明の詳細な説明】
【技術分野】
【０００１】  本発明は台板の両側に挟み具を設けたテーブルクロス止めに関するものである。
【背景技術】
【０００２】  従来、テーブルとクロスの間に直接貼るシールや、テーブルをテーブルクロスごと上から挟み込むもの、テーブルクロスの角に付けるインテリア型の錘があった。
【発明の開示】
【発明が解決しようとする課題】
【０００３】  そのために、次のような問題点があった。
（イ）直接貼るシールでは、粘着力がすぐ落ちるので、洗濯などで繰り返し外したのでは、使用出来なくなる。
（ロ）テーブルごと上から挟み込むものは、テーブルの上まで止め具が、出てしまうので、邪魔で生活に支障が出る。
（ハ）テーブルクロスの角に付ける錘では、使用しているとずれて動いてしまった。
【課題を解決するための手段】
【０００４】台板の両端にそれぞれ挟み具（２）を付けたことを特徴とするテーブルクロス止めである。
【発明の効果】
【０００５】  テーブルクロスの縁をテーブルの足の内側で、たるみを少なく挟むことで、テーブルクロスが張って、テーブルに密着することにより、しっかりと留まる。
【発明を実施するための最良の形態】
【０００６】（イ）図１の台板（１）の両端にそれぞれ一個づつ挟み具（２）を設ける。
本発明は以上のような構成で、これを使用する時はテーブルクロス（４）を掛けたテーブルの足の内側に、本発明の短辺が足側になるようにして、テーブルクロス（４）の端を、一方の挟み具（２）に挟む。
もう一方の挟み具（２）は、テーブルクロス（４）が浮かないようにテーブルクロス（４）の端を持って来て挟む。
テーブルの足の数分、同様に装着する。
【図面の簡単な説明】
【０００７】
【図１】本発明の斜視図
【図２】本発明の使用状態を示した図
【符号の説明】
【０００８】  １  台板
２  挟み具
３  テーブルクロス止め具
４  テーブルクロス
５  テーブルの裏面
【図１】
2009039493.tif 000003
【図２】
2009039493.tif 000004
(57)【要約】【課題】  股関節の柔軟性を鍛える運動として、股を大きく開くことによって行う開脚運動があるが、履き物の底面と床との摩擦力の影響で円滑に開脚できないという問題があった。【解決手段】  滑り材付き履き物は、開脚時の素足や履き物と床面との摩擦を減少させ、滑りやすくするため、履き物の底に滑り材を貼着したことで円滑に開脚が行えるようにした。更に、履き物の底に滑り止め材を貼着したことで、開脚のしすぎによる脱臼等の事故を防ぐ事ができるようにした。【選択図】図１
2009039496.tif 000002
【特許請求の範囲】
【請求項１】
スリッパ及び、サンダル及び靴下などの履き物の底部の先端部分或いは、底部のかかと部分或いは底部の何処かに滑り材を貼着した、滑り材付き履き物。
【請求項２】
請求項１に加えて、スリッパ及び、サンダル及び、靴下などの履き物の底部の滑り材の無い部分に滑り止め材を貼着した、滑り材及び滑り止め材付き履き物。
【発明の詳細な説明】
【技術分野】
【０００１】  この発明は、股関節の柔軟性のトレーニングをすることを目指すため、開脚しやすいように底部を改良した履き物に関する物である。
【背景技術】
【０００２】  従来、股関節の柔軟性を高めるために開脚運動をする際は、素足或いは靴或いは靴下等の履き物を履いて床の上に立ち、例えば、図３のように床の上を前後或いは左右に足を滑らせ、股関節を可能な限り開くことで柔軟性を鍛えていた。【０００３】  履き物とは、歩行し易いように、或いは足下を守るために靴・靴下のように足に履く物である。
【発明の開示】
【発明が解決しようとする課題】
【０００４】  股関節の柔軟性を高めるために開脚運動をする際は、股関節を大きく広げる必要があるが、尻を床に付けて行う方式では、特に体が硬い者には力が入れづらいといった問題があった。【０００５】  また、立った状態で足を前後或いは左右に広げる図３のような方式で行い、股関節を大きく広げて股関節の柔軟性を鍛えるという方法では、前後或いは左右に両足を広げる際に床との摩擦で足下が滑りにくく開脚しづらいといった問題点があった。
【課題を解決するための手段】
【０００６】  請求項１の発明は、開脚時に床と履き物との摩擦による抵抗を少なくし、滑りやすくするため、履き物の底部に滑り材を貼着した。【０００７】  請求項２の発明は、開脚時に股の開きすぎによる股関節の脱臼などの事故を防ぐため、制動を容易にするために、滑り止め材を貼着した。
【発明の効果】
【０００８】  本発明によれば、従来足下の滑りが悪く非効率的だった股関節の柔軟体操が、本発明である滑り材付き履き物を使用することで、足下の滑りが良くなる事で、効率良く行えるようになり、柔軟体操の効果を飛躍的に上げることが出来る。
【発明を実施するための最良の形態】
【０００９】  履き物本体Ａの部分は従来の履き物と同等であるが、履き物本体Ａの底部の先端部分或いは、底部のかかと部分、或いは底部の何れかに滑り材Ｂを貼着した。これによって、開脚時に滑り材Ｂを貼着した部分に力を入れる事により、滑りやすくなった。【００１０】  また、履き物Ａの底部に滑り材Ｂを貼着した物に滑り止め材Ｃを履き物Ａの底部の先端部分或いは、底部のかかと部分、或いは底部の何れかの滑り材Ｂが無い部分に貼着した。これによって、滑り止め材Ｃを貼着した部分に力を入れる事により、制動を容易にできるようになった。【００１１】  滑り材Ｂ及び、滑り止め材Ｃは履き物底面の何れかに配置される。力の入れやすい箇所に配置することによって最大の効果が得られる。
【産業上の利用可能性】
【００１２】  以上のように、本発明によると、従来開脚運動による股関節の柔軟体操では、足の裏と床面との摩擦により滑りが悪かった状況でも、本発明である滑り材付き履き物を利用すれば、滑らかに開脚することができ、また、股関節の開き過ぎによる脱臼などの事故を防ぐこともでき、これにより、安全で効率的な健康増進が見込める。
【図面の簡単な説明】
【００１３】
【図１】本発明である滑り材付き履き物を示す断面図である。
【図２】本発明である滑り材付き履き物を示す斜視図である。
【図３】開脚運動の例である。
【符号の説明】
【００１４】Ａ    履き物本体部。
Ｂ    履き物底部に貼着された滑り材。
Ｃ    履き物底部に貼着された滑り止め材。
Ｄ    開脚運動時に両足を広げる方向。
【図１】
2009039496.tif 000003
【図２】
2009039496.tif 000004
【図３】
2009039496.tif 000005
(57)【要約】      （修正有）【課題】今後増加する熱中症と紫外線から人体を保護する日傘及びビーチパラソルを提供する。【解決手段】従来の日傘は直射日光遮断や有害紫外線軽減を行ったものがあるが、地球環境の変化による気温上昇と有害紫外線からの人体保護強化を考え、傘構造の内部に風を送風する機構１を付加する事により使用者の体温上昇を抑え、また補助機構として傘を二重構造にすることにより、外傘と内傘１０で熱と紫外線の人体への到達を軽減させるものである。【選択図】図１
2009039492.tif 000002
【特許請求の範囲】
傘の構造に送風機構を有するもの及び、補助機能として外傘と内傘の二重構造をもつ傘。
【発明の詳細な説明】
【技術分野】
【０００１】本発明は、日傘及びビーチパラソルへ送風機構を付加したものに関する。
【背景技術】
【０００２】従来の日傘及びビーチパラソルは、紫外線削減効果を持った物がある。
【発明の開示】
【発明が解決しようとする課題】
【０００３】地球環境の変化等での気温上昇による、熱中症を軽減することが必要と思われる。【０００４】本発明は、このような従来の構成が有していた問題を解決しようとするものであり、今後増加する熱中症と紫外線等から人体を保護することを目的とするものである。
【課題を解決するための手段】
【０００５】そして、本発明は上記目的を達成するために傘の構造の内部に送風機を内蔵させることにより、使用者の体温を下げる効果と傘内に熱の籠もるのを防げる。【０００６】前述の送風機構に加え直射日光を受ける外傘の内側に熱遮断用の内傘を追加することで紫外線反射機能を高める事が可能となる。
【発明の効果】
【０００７】上述したように本発明は誰にでも手軽に熱中症の予防器具を提供することができる。
【発明を実施するための最良の形態】
【０００８】以下、本発明の実施の形態を図１に基づいて説明する。【０００９】図１において１は、送風機構のモーター回転部となっており傘の軸部を駆動軸として送風扇を回転させます。【００１０】図１の２は柔素材からなる扇となり、３の回転補助部が傘開閉時には上下移動することで傘布部と共に扇も折りたたむ状態で収納可能となる。
【符号の説明】
【００１１】  １    送風機構のモーター回転部、傘の軸部を駆動軸として送風扇を回転させます。
２    柔素材からなる扇
３    回転補助部（傘開閉時に上下可動し扇を折りたたんで収納する補助をする）
４    傘軸内部の電線
５    送風扇可動スイッチ
６    送風機駆動用バッテリー
７    持ち手部留め金
８    伸縮性の持ち手補助ストラップ
９    持ち手部留め金
１０  熱遮断用の内傘
【図１】
2009039492.tif 000003
【手続補正書】
【提出日】平成19年10月22日(2007.10.22)
【手続補正１】
【補正対象書類名】明細書
【補正対象項目名】全文
【補正方法】変更
【補正の内容】
【発明の詳細な説明】
【技術分野】
【０００１】本発明は、日傘及びビーチパラソルへ送風機構を付加したものに関する。
【背景技術】
【０００２】従来の日傘及びビーチパラソルは、紫外線削減効果を持った物がある。
【発明の開示】
【発明が解決しようとする課題】
【０００３】地球環境の変化等での気温上昇による、熱中症を軽減することが必要と思われる。【０００４】本発明は、このような従来の構成が有していた問題を解決しようとするものであり、今後増加する熱中症と紫外線等から人体を保護することを目的とするものである。
【課題を解決するための手段】
【０００５】そして、本発明は上記目的を達成するために傘の構造の内部に送風機を内蔵させることにより、使用者の体温を下げる効果と傘内に熱の籠もるのを防げる。【０００６】前述の送風機構に加え直射日光を受ける外傘の内側に熱遮断用の内傘を追加することで紫外線反射機能を高める事が可能となる。
【発明の効果】
【０００７】上述したように本発明は誰にでも手軽に熱中症の予防器具を提供することができる。
【発明を実施するための最良の形態】
【０００８】以下、本発明の実施の形態を図１に基づいて説明する。【０００９】図１において１は、送風機構のモーター回転部となっており傘の軸部を駆動軸として送風扇を回転させます。【００１０】図１の２は柔素材からなる扇となり、３の回転補助部が傘開閉時には上下移動することで傘布部と共に扇も折りたたむ状態で収納可能となる。
【図面の簡単な説明】
【００１１】
【図１】図１は立面図である。
【符号の説明】
【００１２】  １    送風機構のモーター回転部、傘の軸部を駆動軸として送風扇を回転させます。
２    柔素材からなる扇
３    回転補助部（傘開閉時に上下可動し扇を折りたたんで収納する補助をする）
４    傘軸内部の電線
５    送風扇可動スイッチ
６    送風機駆動用バッテリー
７    持ち手部留め金
８    伸縮性の持ち手補助ストラップ
９    持ち手部留め金
１０  熱遮断用の内傘
(57)【要約】【課題】本発明は車椅子利用者脚の血流促進が図れるように、又本発明の血流促進機能一式を固定軸枠ごと車椅子本体から取りはずし、単体として使用することにより万人が血流促進を図れるよう工夫した脱着式血流促進機能付車椅子。【解決手段】血流促進機能に必要な各機器を堅牢な固定軸に取り付け固定してこれを車椅子本体に取り付けて車椅子を利用すると利用者脚の血流促進が図れる。又血流促進各機器を取り付けた固定軸枠を車椅子本体から取りはずした血流促進機能一式を単体で使用すると、万人が血流促進を図れ、大変有意義で便利さを特徴とした脱着式血流促進機能付車椅子。【選択図】図１
2009039497.tif 000002
【特許請求の範囲】
【請求項１】
１．車椅子本体と該車椅子本体に脱着可能手段を介して取り付けた固定軸に足台と電動モーターとバッテリーと充電器を取り付け手段を介して固定軸に取り付け、該電動モーターの回転軸に取り付け手段を介して変心カムを取り付け該変心カム他端を該車椅子足台指側の先端に取り付け手段を介して取り付け、該足台踵側部を固定軸に取り付け手段を介して取り付け、車椅子利用者脚の血流促進を促すことを特徴とした脱着式血流促進機能付車椅子。
【発明の詳細な説明】
【技術分野】
【０００１】本発明は車椅子利用者脚の血流促進を図ると共に該車椅子本体に脱着できる固定軸を取り付け、該固定軸に血流促進機能一式を取り付けたものを固定軸枠ごと取りはずし単体で血流促進器として可動させると健常者等も含め本案目的達成の為に常時万人が使用でき大変有意義で便利である。
【背景技術】
【０００２】従来の車椅子は歩行が困難な方の移動のみを目的とした構造になっていた。
【発明が解決しようとする課題】
【０００３】従来の車椅子は利用者脚の血流促進が図れなかった。
又該車椅子の血流促進機能構成一式を車椅子本体に脱着出来る様に取り付けた固定軸を車椅子本体から取りはずし血流促進構成機能を単体として可動させ使用すると万人が常時血流の促進を図れる。
【課題を解決する為の手段】
【０００４】血流促進機能に必要な各機器を堅牢な固定軸（１２）を車椅子本体のフレームにボルト（１５）で固定し、電動モーター（２）とバッテリー（５）と充電器（６）と足台（１３）を取り付ける。
該電動モーターの回転軸（３）の両側に変心カム（４）を軸設し該変心カムの他端は足台指側の先端に取り付ける。足台踵側（７）の後端部と固定軸（１２）各に堅牢な軸穴を設け連結軸（１４）を差し込み連結する。足台先端（９）は変心カムの回転作用により上下運動する。
該車椅子利用者の脚は足台に設けられた固定帯（１０）で固定し、該電動モーターを駆動すると足台踵部は、固定軸に取り付けている為、変心カムの回転作用は足台先端（９）のみが上下し車椅子利用者の脚も足台と共に連動する。この一連の作用により利用者のふくらはぎ（１１）内血管は圧縮と減圧をくり返すポンプ作用により血流の促進が図れる。又車イス本体から固定ボルト（１５）を取りはずし、血流促進機能構成を単体で可動利用すると万人が血流促進を図れ大変便利である。
【発明の効果】
【０００５】本発明の車椅子は血流の促進行為は人為的に脚に外圧等を加えるものでなく、下半身が不自由で歩行等が困難な方でも、健常者が日常歩行する際と同様な足機能が持つ脚血管のポンプ作用により血流の促進が図れるものである。又本発明の車椅子は屋内外で血流の促進が常時図れるが、屋外での使用が天候や気温等の影響により不適な時でも血流促進機能が電動の為、電源のスイッチ状況に応じ屋内停車時でも使用でき利用者の健康に配慮できると共に介護人の労力の軽減も図れ、大変便利である。
【本発明を実施する為の最良の形態】
【０００６】以下、本発明実施の形態について説明する。
本発明車椅子本体に取り付けた堅牢な固定軸（１２）に電動モーター（２）と該電動モーターの電源とするバッテリー（５）と充電器（６）と変心カム（４）と足台（１３）と車椅子利用者の脚を固定する固定帯（１０）より構成される。
電動モーター回転軸（３）の両端に変心カム（４）を軸設する。変心カムの他端は足台指側の先端（９）に連結する。足台踵側の後端部（７）に足台（１３）の先端が変心カムの回転作用により上下運動する起点となる称穴を設け固定軸（１２）先端にも穴を設け各穴を重ね連結軸で連結する。車椅子利用者の脚は、足台に設けられた固定帯（１０）で固定する。この機構により電動モーター（２）を駆動すると変心カム（４）の回転作用により足台先端のみが上下するので脚のふくらはぎ（１１）は伸縮作用により血管も増減圧をくり返すポンプ作用により、血流の促進が図れるものである。
【図面の簡単な説明】
【０００７】
【図１】本発明の使用状態を示した説明図
【図２】本発明車椅子を正面の方向から見た説明図
【符号の説明】
【０００８】１  車椅子本体
２  電動モーター
３  電動モーターの回転軸
４  変心カム
５  バッテリー
６  充電器
７  足台踵側
８  フレーム
９  足台先端
１０  固定帯
１１  ふくらはぎ
１２  固定軸
１３  足台
１４  連結軸
１５  ボルト
【図１】
2009039497.tif 000003
【図２】
2009039497.tif 000004